(57)【要約】【課題】収納品と開閉蓋の固定及び解除の機能を最少の部品で満足させ、省スペース化、小型化、コストダウンを実現する。【解決手段】収納品Ｂを出し入れ可能とする開口１ａを有する収納部１ｂと、開口１ａを開閉可能とする開閉蓋８と、開口１ａに移動可能に組み付けられ、収納部１ｂに対する収納品Ｂの固定及び解除と開口１ａに対する開閉蓋８の固定及び解除を移動過程の異なる位置でそれぞれ行わせる可動部材１１と、を備える。具体的には、可動部材１１には、開閉蓋８を固定する蓋固定部１１ｃと、蓋固定部１１ｃに対する係止部８ｃの係止を解除する移動過程で開閉蓋８を押し上げる山形突部１１ｂと、開閉蓋８を押し上げる移動ストロークを越えて、収納部１ｂに収納品Ｂを固定状態に保持する収納品固定部１１ａが設けられている。また、開閉蓋８には、蓋固定部１１ｃに係止する係止部８ｃが設けられている。【選択図】図３
2014021130.tif 000002
【特許請求の範囲】
【請求項１】
収納品を出し入れ可能とする開口を有する収納部と、
前記開口を開閉可能とする開閉蓋と、
前記開口に移動可能に組み付けられ、前記収納部に対する前記収納品の固定及び解除と前記開口に対する前記開閉蓋の固定及び解除を移動過程の異なる位置でそれぞれ行わせる可動部材と、を備えることを特徴とする開閉蓋の開閉装置。
【請求項２】
前記可動部材には、前記開閉蓋を固定する蓋固定部が設けられ、
前記開閉蓋には、前記蓋固定部に係止する係止部が設けられていることを特徴とする請求項１に記載の開閉蓋の開閉装置。
【請求項３】
前記可動部材には、前記蓋固定部に対する前記係止部の係止を解除する移動過程で前記開閉蓋を押し上げる山形突部が設けられていることを特徴とする請求項２に記載の開閉蓋の開閉装置。
【請求項４】
前記可動部材には、前記開閉蓋を押し上げる移動ストロークを越えて、前記収納部に前記収納品を固定状態に保持する収納品固定部が設けられていることを特徴とする請求項３に記載の開閉蓋の開閉装置。
【請求項５】
前記可動部材を、前記収納品及び開閉蓋の固定を解除する方向とは反対方向に付勢する弾性部材を備えることを特徴とする請求項１から４のいずれか一項に記載の開閉蓋の開閉装置。
【請求項６】
前記開閉蓋には、操作部材が挿入されて前記可動部材に係合し、前記山形突部が前記開閉蓋を押し上げる移動ストロークに対応した案内孔が形成されていることを特徴とする請求項３に記載の開閉蓋の開閉装置。
【請求項７】
機器本体に、請求項１から６のいずれか一項に記載の開閉蓋の開閉装置を備えることを特徴とする電子機器。
【発明の詳細な説明】
【技術分野】
【０００１】
本発明は、開閉蓋の開閉装置と、その開閉蓋の開閉装置を備える電子機器に関する。
【背景技術】
【０００２】
カメラ等の電子機器において、電池収納部の電池蓋はスライド操作部やロックレバーで固定される（例えば特許文献１、２参照）。
そして、特許文献１のように、電池蓋を自動で開けるバネを設けることも行われる。
さらに、特許文献１、２のように、収納した電池を係止片やロック片のスライド操作で着脱する技術もある。
【先行技術文献】
【特許文献】
【０００３】
【特許文献１】特開平９−１６３２０４号公報
【特許文献２】特開２００１−２１９７９号公報
【発明の概要】
【発明が解決しようとする課題】
【０００４】
しかし、電池蓋の固定と自動開放、電池の固定を従来のように別々の部品で満足させるためには、ある一定以上のスペースが必要であり、それぞれの部品にコストもかかる。
また、小型化すると、指一本での開閉操作が困難となってしまう。
【０００５】
本発明の課題は、収納品と開閉蓋の固定及び開放の機能を最少の部品で満足させ、省スペース化、小型化、コストダウンを実現することである。
【課題を解決するための手段】
【０００６】
以上の課題を解決するため、本発明は、
収納品を出し入れ可能とする開口を有する収納部と、
前記開口を開閉可能とする開閉蓋と、
前記開口に移動可能に組み付けられ、前記収納部に対する前記収納品の固定及び解除と前記開口に対する前記開閉蓋の固定及び解除を移動過程の異なる位置でそれぞれ行わせる可動部材と、を備える開閉蓋の開閉装置を特徴とする。
【発明の効果】
【０００７】
本発明によれば、収納品と開閉蓋の固定及び解除の機能を一つの部品で満足させることで、部品点数を最少にして、省スペース化でき、小型化とコストダウンを実現できる。
【図面の簡単な説明】
【０００８】
【図１】本発明を適用した電子機器の一実施形態の構成を示すもので、カメラの正面図（ａ）、底面図（ｂ）、背面図（ｃ）である。
【図２】図１（ｂ）の開閉蓋部分の拡大斜視図である。
【図３】図２の矢印Ａ−Ａ線に沿った拡大断面図（ａ）と、同じく矢印Ｂ−Ｂ線に沿った拡大断面図（ｂ）である。
【図４】図３の開閉蓋の斜視図（ａ）と、同じく可動部材の斜視図（ｂ）である。
【図５】図４の開閉蓋を反対側から見た図（ａ）と、同じく可動部材を反対側から見た図（ｂ）である。
【図６】図３（ａ）と同様の断面図で、開閉蓋の案内孔に操作部材を挿入した図である。
【図７】図６の操作部材を案内孔に沿って移動した図（ａ）と、そのときの図３（ｂ）と同様の断面図（ｂ）である。
【図８】図７の操作部材をさらに移動した図（ａ）（ｂ）である。
【図９】図２と同様の斜視図で、開閉蓋の片側が浮き上がった状態の図である。
【図１０】図９の状態の各部の断面図（ａ）（ｂ）である。
【図１１】図９の状態から開閉蓋を取り去った状態の図である。
【図１２】図１１の状態の断面図である。
【図１３】図１１の状態から可動部材を移動した図である。
【図１４】図１３の状態の断面図である。
【図１５】図１３の状態から収納品を取り出した状態の図である。
【図１６】変形例１を示すもので、可動部材の蓋固定部の形状例を示した側面図（ａ）と、開閉蓋の係止部の形状例を示した側面図（ｂ）である。
【図１７】変形例２を示すもので、可動部材に弾性部材を一体化した斜視図である。
【発明を実施するための形態】
【０００９】
以下、図を参照して本発明を実施するための形態を詳細に説明する。
（実施形態）
図１は本発明を適用した電子機器の一実施形態の構成としてカメラを示すもので、１は機器本体、２はレンズユニット、３はストロボ、４はシャッターボタン、５はモニター、６は各種操作ボタン、７は三脚穴、８は電池蓋、９はＵＳＢ／ＡＶ接続端子メモリーカードスロット蓋である。
【００１０】
図示のように、カメラの機器本体１には、正面にレンズユニット２及びストロボ３が、上面にシャッターボタン４が、背面にモニター５及び各種操作ボタン６が、底面に三脚穴７、本発明を適用した開閉蓋としての電池蓋８、他の開閉蓋であるＵＳＢ／ＡＶ接続端子メモリーカードスロット蓋９がそれぞれ備えられている。
【００１１】
図２及び図３は機器本体１の電池蓋８の部分を拡大して示したもので、電池蓋８を開けると、機器本体１の底面の開口１ａから内部の収納部１ｂに収納品である電池Ｂが出し入れ可能となっている。
そして、開口１ａの内部にはスライド移動可能に可動部材１１が組み付けられている。
この可動部材１１は、収納部１ｂに対する電池Ｂの固定及び解除と、開口１ａに対する電池蓋８の固定及び解除を、移動過程の異なる位置でそれぞれ行わせる。
【００１２】
図４及び図５は電池蓋８と可動部材１１の関係を示したものである。
【００１３】
図示のように、電池蓋８は、細長い板状で、その長手方向の一側辺に沿って三つの差込爪８ａを有し、他側辺には、一端部寄りの突出形状部に案内孔８ｂと、その両側に位置する二つの係止爪８ｃと、他端部寄りの一つの係止突起８ｄを有している。
差込爪８ａは、機器本体１の開口１ａの下側の差込溝１ｃ（図１１から図１３参照）に差し込まれ、案内孔８ｂは、電池蓋８の短手方向に延び、係止爪８ｃは、可動部材１１に係止され、係止突起８ｄは、開口１ａの下側に係止される。
【００１４】
可動部材１１は、機器本体１の開口１ａの下側に位置する板状で、一方向に突出する電池固定片１１ａと、上面の山形突部１１ｂと、その両側方に突出する二つの蓋固定片１１ｃと、下方の突出形状部に凹部１１ｄを有している。
電池固定片１１ａは、機器本体１の収納部１ｂに臨み、山形突部１１ｂは、傾斜面と垂直面を有して電池蓋８の案内孔８ｂに位置し、蓋固定片１１ｃは、電池蓋８の係止爪８ｃが係止し、凹部１１ｄは、弾性部材であるコイルバネ１２の一端部を収容する。
【００１５】
コイルバネ１２は、開口１ａの下側において、機器本体１の内壁部と可動部材１１の凹部１１ｄとの間に介装されて、可動部材１１を収納部１ｂの方向に付勢する。
【００１６】
以上の構成による電池蓋８の開閉装置の作用を以下に説明する。
【００１７】
まず、通常状態において、電池蓋８は、差込爪８ａが機器本体１の開口１ａの下側の差込溝１ｃに差し込まれて、係止突起８ｄが開口１ａの下側に係止される。
同時に、機器本体１の開口１ａの下側にスライド移動可能に組み付けられた可動部材１１は、図３に示すように、コイルバネ１２の付勢により、蓋固定片１１ｃが係止爪８ｃに係止して電池蓋８を固定状態に保持するとともに、電池固定片１１ａが収納部１ｂ内の電池Ｂを固定状態に保持する。
【００１８】
このような電池蓋８と電池Ｂの固定状態から、図６に示すように、操作部材としてペンＰの先端を案内孔８ｂに差し込んで、山形突部１１ｂの垂直面をペンＰの先端で押すことにより、可動部材１１をコイルバネ１２の付勢に抗してスライド移動させる。
すると、図７に示すように、山形突部１１ｂの傾斜面が案内孔８ｂの端部に突き当たるとともに、蓋固定片１１ｃが係止爪８ｃから外れる方向に動き出す。
【００１９】
そして、図８に示すように、蓋固定片１１ｃが係止爪８ｃから外れると、山形突部１１ｂの傾斜面により案内孔８ｂ端部で電池蓋８が押し上げられるとともに、ペンPの先端が案内孔８ｂの端部に突き当たって止まる。
ただし、この時は、電池固定片１１ａが収納部１ｂ内の電池Ｂを固定状態に保持し続けている。
【００２０】
従って、案内孔８ｂからペンＰを抜いても、図９及び図１０に示すように、電池蓋８の片側が浮き上がった状態になる。
そして、可動部材１１はコイルバネ１２の付勢により元の位置に戻って、電池固定片１１ａが収納部１ｂ内の電池Ｂを依然として固定状態に保持している。
【００２１】
こうして、電池蓋８の片側が浮き上がった状態になっているため、電池蓋８を指先で持って、差込爪８ａを機器本体１の開口１ａの下側の差込溝１ｃから抜くことで、図１１及び図１２に示すように、電池蓋８を取り外せる。
【００２２】
その後、山形突部１１ｂを指先で押して、可動部材１１をコイルバネ１２の付勢に抗して、前述したペンＰが止まった位置よりもさらにスライド移動させると、図１３及び図１４に示すように、電池固定片１１ａが収納部１ｂ内の電池Ｂから待避状態となる。
【００２３】
従って、図１５に示すように、収納部１ｂから電池Ｂを取り出すことできる。
【００２４】
なお、交換等による電池Ｂの再収納後は、電池蓋８の一側辺の差込爪８ａを機器本体１の開口１ａの下側の差込溝１ｃに差し込んで、電池蓋８の他側辺を指で押して、係止爪８ｃをコイルバネ１２で付勢された可動部材１１の蓋固定片１１ｃに係止させるとともに、係止突起８ｄを開口１ａの下側に係止させる。
【００２５】
以上、実施形態のカメラによれば、開口１ａに移動可能に組み付けられて、収納部１ｂに対する電池Ｂの固定及び解除と開口１ａに対する電池蓋８の固定及び解除を移動過程の異なる位置でそれぞれ行わせる可動部材１１を備えることにより、電池Ｂと電池蓋８の固定及び解除の機能を一つの部品、すなわち、可動部材１１で満足しているため、部品点数を最少にして、省スペース化でき、小型化とコストダウンを実現できる。
そして、可動部材１１をスライドすると、電池蓋８の解除に続き、電池蓋８が浮き上がってくるので、操作性もよい。
さらに、この時、電池Ｂは固定状態のままであるので、電池Ｂが収納部１ｂから飛び出して落下したり、電池Ｂが電池蓋８を押し飛ばすようなことがなく、安全性も保たれる。
【００２６】
（変形例１）
図１６は変形例１を示すもので、図１６（ａ）に示すように、可動部材１１の蓋固定部１１ｃの先端を上向きの傾斜面形状として、図１６（ｂ）に示すように、電池蓋８の係止爪８ｃの先端を下向きの傾斜面形状とすることで、傾斜面同士の接触によりスムーズに係止爪８ｃを蓋固定片１１ｃに係止させることができる。
【００２７】
（変形例２）
図１７は変形例２を示すもので、図示のように、可動部材１１にバネ部１２を樹脂一体成形することで、部品共有化により部品点数を削減することができる。
【００２８】
（他の変形例）
以上の実施形態においては、カメラとしたが、本発明はこれに限定されるものではなく、カメラを備える携帯電話など他の電子機器であってもよい。
また、実施形態では、電池と電池蓋としたが、例えばメモリーカードなどの他の収納品と開閉蓋でもよい。
さらに、実施形態では、固定解除を操作部材としてペンにより行ったが、他の操作部材でもよく、また、可動部材の山形突部を案内溝から突出するよう大きくすれば、指操作での固定解除も可能である。
また、開閉蓋と可動部材及び各部の形状等も任意であり、その他、具体的な細部構造等についても適宜に変更可能であることは勿論である。
【００２９】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
収納品を出し入れ可能とする開口を有する収納部と、
前記開口を開閉可能とする開閉蓋と、
前記開口に移動可能に組み付けられ、前記収納部に対する前記収納品の固定及び解除と前記開口に対する前記開閉蓋の固定及び解除を移動過程の異なる位置でそれぞれ行わせる可動部材と、を備えることを特徴とする開閉蓋の開閉装置。
＜請求項２＞
前記可動部材には、前記開閉蓋を固定する蓋固定部が設けられ、
前記開閉蓋には、前記蓋固定部に係止する係止部が設けられていることを特徴とする請求項１に記載の開閉蓋の開閉装置。
＜請求項３＞
前記可動部材には、前記蓋固定部に対する前記係止部の係止を解除する移動過程で前記開閉蓋を押し上げる山形突部が設けられていることを特徴とする請求項２に記載の開閉蓋の開閉装置。
＜請求項４＞
前記可動部材には、前記開閉蓋を押し上げる移動ストロークを越えて、前記収納部に前記収納品を固定状態に保持する収納品固定部が設けられていることを特徴とする請求項３に記載の開閉蓋の開閉装置。
＜請求項５＞
前記可動部材を、前記収納品及び開閉蓋の固定を解除する方向とは反対方向に付勢する弾性部材を備えることを特徴とする請求項１から４のいずれか一項に記載の開閉蓋の開閉装置。
＜請求項６＞
前記開閉蓋には、操作部材が挿入されて前記可動部材に係合し、前記山形突部が前記開閉蓋を押し上げる移動ストロークに対応した案内孔が形成されていることを特徴とする請求項３に記載の開閉蓋の開閉装置。
＜請求項７＞
機器本体に、請求項１から６のいずれか一項に記載の開閉蓋の開閉装置を備えることを特徴とする電子機器。
【符号の説明】
【００３０】
１  機器本体
１ａ  開口
１ｂ  収納部
１ｃ  差込溝
８  開閉蓋
８ａ  差込爪
８ｂ  案内孔
８ｃ  係止部
８ｄ  係止突起
１１  可動部材
１１ａ  収納品固定部
１１ｂ  山形突部
１１ｃ  蓋固定部
１１ｄ  凹部
１２  弾性部材
Ｂ  収納品
Ｐ  操作部材
【図１】
2014021130.tif 000003
【図２】
2014021130.tif 000004
【図３】
2014021130.tif 000005
【図４】
2014021130.tif 000006
【図５】
2014021130.tif 000007
【図６】
2014021130.tif 000008
【図７】
2014021130.tif 000009
【図８】
2014021130.tif 000010
【図９】
2014021130.tif 000011
【図１０】
2014021130.tif 000012
【図１１】
2014021130.tif 000013
【図１２】
2014021130.tif 000014
【図１３】
2014021130.tif 000015
【図１４】
2014021130.tif 000016
【図１５】
2014021130.tif 000017
【図１６】
2014021130.tif 000018
【図１７】
2014021130.tif 000019